(57)【要約】【課題】管楽器を置いた状態で音楽を再生することができる楽器スタンド型発音装置を提供する。【解決手段】楽器スタンド型発音装置１は、載置台１１と、振動体１１２と、を備えている。載置台１１は、管楽器２００のベルが載置され、該ベルの内周面に沿って先端に至るに従って小径化する形状である。振動体１１２は、載置台１１の内部に配置され、外部から入力された音声信号に応じて振動する。管楽器２００のベルを載置台１１に載置して、外部から音声信号を入力すると、振動体１１２がこの音声信号に応じて振動する。これにより、楽器スタンド型発音装置１に管楽器２００を置いた状態で、管楽器２００を共鳴部として利用して音声を放音させることができる。【選択図】図１
2014103483.tif 000002
【特許請求の範囲】
【請求項１】
管楽器のベルの内部に挿入されるよう先が細く元が太い形状を有するガイド部と、
前記ガイド部の内部に配置され、オーディオ信号によって振動する振動体と、
を備えた楽器スタンド型発音装置。
【請求項２】
前記振動体は、前記ガイド部を振動させる振動子であり、
前記ガイド部は、前記管楽器が載置されたときに前記管楽器に当接する請求項１に記載の楽器スタンド型発音装置。
【請求項３】
前記振動体は、スピーカであり、
前記ガイド部は、その一部が通気可能にされ、前記スピーカが生成した空気振動を外部に伝搬する請求項１に記載の楽器スタンド型発音装置。
【請求項４】
前記ガイド部は、前記管楽器の載置を検出したときに、前記振動体を振動させる載置検出部を備えた、請求項１乃至３のいずれかに記載の楽器スタンド型発音装置。
【発明の詳細な説明】
【技術分野】
【０００１】
本発明は、載置された楽器を共鳴体または振動体として用いる楽器スタンド型発音装置に関する。
【背景技術】
【０００２】
従来、店舗において楽器を展示する場合や、演奏者がステージなどで演奏する楽器（例えば持ち替え楽器）を置く台として、楽器スタンドが使用されることがある。
【０００３】
トランペットやクラリネットなどの管楽器のスタンドは、非特許文献１、２に示すように、略円錐形のペグ部に複数の脚を設けたものであり、トランペットやクラリネットのベルにペグ部を差し込んで載置されることで、非特許文献３に示すように、直立状態で支持することが可能である。
【先行技術文献】
【非特許文献】
【０００４】
【非特許文献１】Ｋ＆Ｍ（Koenig& Meyer GmbH & Co KG）/ 152/1  ＴＲＵＭＰＥＴ ＳＴＡＮＤ、〔online〕、〔平成２４年１１月５日検索〕、インターネット＜URL:http://produkte.k-m.de/en/Stands-and-accessories-for-instruments/Wind-instruments/152-1-TRUMPET-STAND-black＞
【０００５】
【非特許文献２】Ｋ＆Ｍ（Koenig& Meyer GmbH & Co KG）/ 152/2  ＣＬＡＲＩＮＥＴ  ＳＴＡＮＤ、〔online〕、〔平成２４年１１月５日検索〕、インターネット＜URL:http://produkte.k-m.de/en/Stands-and-accessories-for-instruments/Wind-instruments/152-2-CLARINET-STAND-nickel＞
【０００６】
【非特許文献３】スタンド各種＞管楽器用スタンド＞トランペット用スタンド＞K&M ( ケーアンドエム ) /152/1、〔online〕、株式会社サウンドハウス、〔平成２４年１１月５日検索〕、インターネット＜URL: http://www.soundhouse.co.jp/shop/prod_img/k/km_1521a.jpg＞
【発明の概要】
【発明が解決しようとする課題】
【０００７】
上記のように店舗において楽器を展示する場合や、演奏しなくなった楽器を自宅に飾っておく場合など、単に楽器が立て掛けられているのみでなく、その楽器から音楽などの音声を放音させることができればより好ましい。
そこで、本発明は、載置された楽器の中から音楽などの音声を放音することができる楽器スタンド型発音装置を提供することを目的とする。
【課題を解決するための手段】
【０００８】
この発明の楽器スタンド型発音装置は、ガイド部と、振動体と、を備えている。ガイド部は、管楽器のベルの内部に挿入されるよう先が細く元が太い形状を有する形状である。振動体は、ガイド部の内部に配置され、オーディオ信号によって振動する。
【０００９】
この構成では、管楽器のベルをガイド部に載置して、振動体にオーディオ信号を入力すると、振動体がこのオーディオ信号によって振動する。これにより、楽器スタンド型発音装置に管楽器を置いた状態で、管楽器を振動体および共鳴体として利用して音声を放音させることができる。
【００１０】
上記発明において、振動体は、ガイド部を振動させる振動子であり、ガイド部は、管楽器が載置されたときに管楽器に当接する。
【００１１】
この構成においては、管楽器がガイド部に置かれたときに、管楽器のベルがガイド部に当接するので、ガイド部の内部に設置された振動子の振動が管楽器に伝わって、管楽器が振動体および共鳴体として機能する。管楽器はその種類と個体によって共鳴周波数特性が異なる。そのため、ガイド部に載置される楽器に応じた特徴を有する音声を放音させることができる。これにより、店舗において楽器を展示する場合や、演奏しなくなった楽器を自宅に飾っておく場合など、単に楽器が立て掛けられているのみでなく、その楽器から音楽などの音声を放音させることができる。
【００１２】
上記発明において、振動体は、スピーカであり、ガイド部は、その一部が通気可能にされ、スピーカが生成した空気振動を外部に伝搬する。
【００１３】
この構成においては、管楽器のベルが載置台に置かれると、ガイド部の内部に配置されたスピーカから放音された音声が管楽器の管内に放音され、スピーカから放音された音声がガイド部の例えばメッシュ部分を通過して管楽器の管内に放音される。
【００１４】
管楽器は、その種類と個体によって共鳴周波数特性が異なるので、入力された音声信号に応じた音声を管楽器の特徴を有する音声に変換して放音することができる。また、ガイド部がスピーカから放音された音声の通過を邪魔することがないので、スピーカから放音する音声の音量を大きくしなくても、管楽器の管内に音声を放音させることができる。
【００１５】
上記発明において、ガイド部は、管楽器のベルの載置を検出したときに、振動体を振動させる載置検出部を備えている。
【００１６】
この構成においては、管楽器がガイド部に載置されたときに、管楽器から音声が放音される。これにより、管楽器が載置されていないときに振動体が振動するのを防止でき、消費電力を抑制できる。
【発明の効果】
【００１７】
この発明によれば、載置された楽器の中から音楽などの音声を放音することが可能になる。
【図面の簡単な説明】
【００１８】
【図１】本発明の実施形態に係る楽器スタンド型発音装置の斜視外観図
【図２】楽器スタンド型発音装置のペグ部の内部構造図
【図３】楽器スタンド型発音装置にトランペットが載置された状態を示す図
【図４】ペグ部の変形例の内部構造図
【図５】第２の楽器スタンド型発音装置の斜視外観図
【図６】第２の楽器スタンド型発音装置のペグ部の内部構造図
【図７】第２の楽器スタンド型発音装置にサックスを載置した状態を示す図
【発明を実施するための形態】
【００１９】
以下、図面を参照して本発明の実施形態である楽器スタンド型発音装置について説明する。楽器スタンド型発音装置は、楽器が載置される楽器スタンドの形状をしており、載置された楽器を共鳴部または振動部として使用して音声を放音する装置である。以下の説明では、楽器の一例としてトランペットが載置される楽器スタンド型発音装置について説明する。
【００２０】
図１は楽器スタンド型発音装置の斜視外観図である。楽器スタンド型発音装置１は、ペグ部１１（ガイド部）、および、その底面に３本の脚１２を設けた構造をしている。
【００２１】
ペグ部１１は、その上面１１Ａが、載置されるトランペット２００（図３参照）のベルの内周面に沿って先端に至るに従って小径化する略円錐状をなしている。ペグ部１１の上面１１Ａには、載置検出部１３が設けられている。載置検出部１３は、トランペット２００がペグ部１１に載置されたことを検出するものであり、一例としてリミットスイッチまたはマイクロスイッチが使用される。なお、トランペット２００が載置されたことを検出できるのであれば、他の検出機構でもよい。例えば、光電センサなどでもよい。
【００２２】
ペグ部１１の外周の一部には、外部入力端子１５が設けられている。外部入力端子１５は、たとえば、ミニジャックであり、オーディオケーブルを介して音楽プレーヤ１００が接続される。
【００２３】
脚１２は、ペグ部１１の底面１１Ｂに取り付けられている。脚１２は、ペグ部１１にトランペット２００が載置されたときにペグ部１１とトランペット２００が転倒しないように安定させるためのものである。ペグ部１１の脚１２は図示のような形状のものに限定されず、ペグ部１１とトランペット２００の転倒を防止できるものであれば、円盤状のものなど他の形状でもよい。また、ペグ部１１の底面１１Ｂの面積を大きくすることで、ペグ部１１とトランペット２００の転倒を防止できるのであれば、脚１２は不要である。
【００２４】
図２は、ペグ部１１の内部構造図である。ペグ部１１は、その内部にアンプ１１１と振動子１１２を備えている。アンプ１１１は、音楽プレーヤ１００から入力されたオーディオ信号を増幅して振動子１１２に出力する。振動子１１２は、アンプ１１１から入力されたオーディオ信号を物理的な振動に変換する。振動子１１２は、ペグ部１１の筐体に接触しており、その振動によりペグ部１１を振動させる。
【００２５】
載置検出部１３は、アンプ１１１の電源スイッチとして機能しており、アンプ１１１は、載置検出部１３がペグ部１１にトランペット２００が載置されたことを検出しているときに動作し、載置検出部１３がトランペット２００を検出していないときには動作しない。このように構成することで、楽器スタンド型発音装置１にトランペット２００が載置されていないときに、振動子１１２が振動するのを防止できる。なお、載置検出部１３は必須の構成ではなく、載置検出部１３に代えて手動の電源スイッチを設けてもよく、電源スイッチを設けなくてもよい。また、手動の電源スイッチを別途設け、載置検出部１３を、アンプ１１１をアクティブにする制御スイッチとして機能させてもよい。
【００２６】
図３は、楽器スタンド型発音装置１にトランペット２００が載置された状態を示す図である。楽器スタンド型発音装置１の載置台１１にトランペット２００が載置されると、載置検出部１３はトランペット２００が載置台１１に載置されたことを検出する。この検出により、アンプ１１１は、音楽プレーヤ１００から入力されたオーディオ信号の増幅を開始する。これにより、振動子１１２がオーディオ信号に応じて振動し、ペグ部１１を振動させる。
【００２７】
トランペット２００は、ペグ部１１に載置されると、ベルの一部がペグ部１１の表面１１Ａに当接するので、振動子１１２の振動がトランペット２００のベルや管など楽器全体に伝搬し、楽器全体が振動する。また、この振動が管内の空気に伝搬して管内が共鳴する。これにより、楽器を振動体および共鳴体として利用して音声を放音させることができる。
【００２８】
楽器は、その種類と個体によって共鳴周波数特性が異なる。そのため、ペグ部１１に載置される楽器に応じた特徴を有する音声が放音される。
【００２９】
以上の説明では、ペグ部１１の内部に振動子１１１を設けた場合について説明したが、振動子１１１に代えてペグ部１１の内部にスピーカを設けてもよい。
【００３０】
図４は、内部にスピーカ１１３を設けたペグ部１１の内部構造図である。この図において、図１、図２に示した楽器スタンド型発音装置１と同一構成の部分は同一番号を付して説明を省略する。このペグ部１１は、上部に通気可能なメッシュ部１１２を有している。ペグ部１１の内部のメッシュ部１１２の下端部付近にスピーカ１１３が上向きに設けられている。また、ペグ部１１の表面１１Ａにトランペット２００の管体と当接するフェルトパッド１１４が設けられている。フェルトパッド１１４は、トランペット２００の管体の径がベルに向けて大きく変化する角に当接するように設けられる。フェルトパッド１１４は、ペグ部１１の表面１１Ａの全周に渡って設けてもよく、周の一部のみに（ベル方向に空気が流通するように）設けてもよい。フェルトパッド１１４で管体とペグ部１１との間に隙間を設けたことにより、スピーカ１１３から放音された音声がトランペット２００の管内に伝搬しやすくなる。また、フェルトパッド１１４をペグ部表面１１Ａの周の一部のみに設けることにより、管内で共鳴した音声がベルとペグ部１１の間から外部に伝搬し、よりよく放音させることができる。
【００３１】
次に、楽器の一例として、ベルを下に向けて置くことができないサックスのような管楽器が載置される第２の楽器スタンド型発音装置について説明する。以下の説明では、楽器の一例としてサックスが載置される第２の楽器スタンド型発音装置について説明する。図５は、第２の楽器スタンド型発音装置の斜視外観図である。楽器スタンド型発音装置２は、楽器スタンド２１、および、この楽器スタンド２１から延出するアーム２１１に移動可能に保持された振動部２２を備えている。
【００３２】
ペグ部２２は、嵌め込まれるサックス（アルトサキソフォーン）３００（図７参照）のベルの内周面に沿って先端に至るに従って小径化する略円錐状をなしている。ペグ部２２の曲面２２Ａには、挿入検出部２３が設けられている。挿入検出部２３は、ペグ部２２がサックス３００のベルに嵌め込まれたことを検出するものであり、載置検出部１３と同様に、リミットスイッチまたはマイクロスイッチが使用される。なお、光電センサなど他の検出機構でもよい。
【００３３】
ペグ部２２の外周の一部には、外部入力端子２５が設けられている。外部入力端子２５は、たとえば、ミニジャックであり、オーディオケーブルを介して音楽プレーヤ１００が接続される。
【００３４】
楽器スタンド２１は、センターポストと、センターポストの一方の端部において楽器を保持するためのＵ字型ホルダと、センターポストの他方の端部に設けられセンターポストを直立させる３本の脚と、センターポストの中間部において楽器を保持するバックレストと、センターポストにおけるホルダの下部から延出するアーム２１１と、を備えている。
【００３５】
図６は、第２の楽器スタンド型発音装置のペグ部２２の内部構造図である。振動部２２は、載置台１１と同様に、その内部にアンプ１２１と振動子１２２を備えている。アンプ１２１と振動子１２２は、楽器スタンド型発音装置１と同様に動作する。挿入検出部２３は、アンプ１２１の電源スイッチとして機能し、アンプ１２１は、挿入検出部２３がサックス３００にペグ部２２が挿入されたことを検出しているときに動作し、挿入検出部２３がサックス３００にペグ部２２が挿入されたことを検出していないときには動作しない。なお、挿入検出部２３に代えて、手動の電源スイッチを設けてもよい。また、電源スイッチを設けなくてもよい。また、手動の電源スイッチを別途設け、載置検出部２３を、アンプ１２１をアクティブにする制御スイッチとして機能させてもよい。
【００３６】
図７は、第２の楽器スタンド型発音装置２にサックスを載置した状態を示す図である。楽器スタンド型発音装置２を用いて音声を放音させるときには、まず、サックス３００を楽器スタンド２１に載置する。続いて、サックス３００のベルにペグ部２２を嵌め込む。このとき、挿入検出部２３は、サックス３００のベルにペグ部２２が嵌め込まれたことを検出する。この検出により、アンプ１２１は、音楽プレーヤ１００から入力されたオーディオ信号の増幅を開始する。これにより、振動子１２２がオーディオ信号に応じて振動し、ペグ部２２を振動させる。
【００３７】
ペグ部サックス３００は、ペグ部２２が挿入されると、ベルの一部がペグ部２２と当接するので、振動子１２２の振動がサックス３００のベルや管など楽器全体に伝搬し、楽器全体が振動する。また、この振動が管内の空気に伝搬して管内が共鳴する。これにより、楽器を振動体および共鳴体として利用して音声を放音させることができ、ペグ部２２が挿入される楽器に応じた特徴を有する音声が放音される。
【００３８】
なお、図７には楽器スタンド２１のアームにペグ部２２が取り付けられた構成を示したが、この構成に限るものではなく、楽器スタンド２１と別体でもよい。
【００３９】
また、図示は省略するが、ペグ部２２は、図３に示したペグ部１１と同様に、振動子１２２に代えてスピーカを設けてもよい。
【００４０】
以上のように、本発明では、楽器スタンド型発音装置に管楽器を取り付けることで、管楽器を振動体および共鳴体として利用して、楽器に応じた特徴を有する音声を放音させることができる。
【００４１】
なお、ｂｌｕｅｔｏｏｔｈ（登録商標）などの無線通信により音楽プレーヤ１００からオーディオ信号を入力する場合、外部入力端子１５、２５に代えて、または、外部入力端子１５、２５とともに無線通信部を設けてもよい。
【００４２】
また、ギターなどの弦楽器を立て掛けるスタンドにおいて、ボディに振動子やスピーカを当接させてボディを共鳴体に使用することも可能である。
【符号の説明】
【００４３】
１、２…楽器スタンド型発音装置  １１…ペグ部（ガイド部）  １２…脚  
１３…載置検出部  １５、２５…外部入力端子  ２１…楽器スタンド  
２２…ペグ部  ２３…挿入検出部  
１１１、１２１…アンプ  １１２、１２２…振動子  １１３…スピーカ  
２００…トランペット  ２１１…アーム  ３００…サックス
【図１】
2014103483.tif 000003
【図２】
2014103483.tif 000004
【図３】
2014103483.tif 000005
【図４】
2014103483.tif 000006
【図５】
2014103483.tif 000007
【図６】
2014103483.tif 000008
【図７】
2014103483.tif 000009